【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
所定の通信媒体を介して情報処理装置と通信可能な画像処理装置であって、
入力した画像データを記憶する第１の記憶手段と、
前記第１の記憶手段に記憶された画像データに所定の画像処理を施す処理手段と、
前記処理手段が実行可能な実行プログラムを記憶する第２の記憶手段と、
入力された画像データを所定の圧縮方法により画像圧縮する圧縮手段と、
前記圧縮手段により圧縮された圧縮画像データと前記画像データを処理すべき実行プログラムを取得するための格納先情報要求を前記情報処理装置に送信する第１の送信手段と、
前記情報処理装置より返信される格納先情報に基づき前記画像データを処理すべき実行プログラムの取得要求を前記情報処理装置に送信する第２の送信手段と、
前記情報処理装置より前記画像データを処理すべき実行プログラムを取得する取得手段と、
前記取得手段により取得される前記実行プログラムに基づいて前記処理手段による画像処理を制御する制御手段と、
を有することを特徴とする画像処理装置。
【請求項２】
所定の通信媒体を介して情報処理装置と通信可能な画像処理装置であって、
入力した画像データを記憶する第１の記憶手段と、
前記第１の記憶手段に記憶された画像データに所定の画像処理を施す処理手段と、
前記処理手段が実行可能な実行プログラムを記憶する第２の記憶手段と、
入力された画像データを所定の圧縮方法により画像圧縮する圧縮手段と、
前記圧縮手段により圧縮された圧縮画像データを解析して得られる判定結果情報と前記画像データを処理すべき実行プログラムを取得するための格納先情報要求を前記情報処理装置に送信する第１の送信手段と、
前記情報処理装置より返信される格納先情報に基づき前記画像データを処理すべき実行プログラムの取得要求を前記情報処理装置に送信する第２の送信手段と、
前記情報処理装置より前記画像データを処理すべき実行プログラムを取得する取得手段と、
前記取得手段により取得される前記実行プログラムに基づいて前記処理手段による画像処理を制御する制御手段と、
を有することを特徴とする画像処理装置。
【請求項３】
所定の通信媒体を介して画像処理装置と通信可能な情報処理装置であって、
前記画像処理装置で動作可能な実行プログラム群を記憶する記憶手段と、
前記画像処理装置から送信される圧縮画像データおよび前記画像処理装置で動作させるべき実行プログラムを取得するための格納先情報要求を受信する受信手段と、
前記受信手段により受信される前記圧縮画像データを解析して前記画像処理装置で動作させるべき実行プログラムの格納先情報を前記画像処理装置に通知する通知手段と、
前記画像処理装置から送信される格納先実行プログラム取得要求に基づき前記記憶手段に記憶されている実行プログラムを前記画像処理装置に送信する送信手段と、
を有することを特徴とする情報処理装置。
【請求項４】
所定の通信媒体を介して画像処理装置と通信可能な情報処理装置であって、
前記画像処理装置で動作可能な実行プログラム群を記憶する記憶手段と、
前記画像処理装置から送信される判定結果情報および前記画像処理装置で動作させるべき実行プログラムを取得するための格納先情報要求を受信する受信手段と、
前記受信手段により受信される判定結果情報を解析して前記画像処理装置で動作させるべき実行プログラムの格納先情報を前記画像処理装置に通知する通知手段と、
前記画像処理装置から送信される格納先実行プログラム取得要求に基づき前記記憶手段に記憶されている実行プログラムを前記画像処理装置に送信する送信手段と、
を有することを特徴とする情報処理装置。
【請求項５】
原稿画像を読み取る画像入力部と、該画像入力部から入力された画像データに基づき画像出力を行う画像出力部とを有し、所定の通信媒体を介して情報処理装置と通信可能な画像処理装置における画像処理方法であって、
入力した画像データを記憶する第１の記憶手段に記憶された画像データを第２の記憶手段に記憶される実行プログラムを実行して所定の画像処理を施す処理工程と、
入力された画像データを所定の圧縮方法により画像圧縮する圧縮工程と、
前記圧縮工程により圧縮された圧縮画像データと前記画像データを処理すべき実行プログラムを取得するための格納先情報要求を前記情報処理装置に送信する第１の送信工程と、
前記情報処理装置より返信される格納先情報に基づき前記画像データを処理すべき実行プログラムの取得要求を前記情報処理装置に送信する第２の送信工程と、
前記情報処理装置より前記画像データを処理すべき実行プログラムを取得する取得工程と、
前記取得工程により取得される前記実行プログラムに基づいて前記処理工程による画像処理を制御する制御工程と、
を有することを特徴とする画像処理方法。
【請求項６】
原稿画像を読み取る画像入力部と、該画像入力部から入力された画像データに基づき画像出力を行う画像出力部とを有し、所定の通信媒体を介して情報処理装置と通信可能な画像処理装置における画像処理方法であって、
入力した画像データを記憶する第１の記憶手段に記憶された画像データを第２の記憶手段に記憶される実行プログラムを実行して所定の画像処理を施す処理工程と、入力された画像データを所定の圧縮方法により画像圧縮する圧縮工程と、
前記圧縮工程により圧縮された圧縮画像データを解析して得られる判定結果情報と前記画像データを処理すべき実行プログラムを取得するための格納先情報要求を前記情報処理装置に送信する第１の送信工程と、
前記情報処理装置より返信される格納先情報に基づき前記画像データを処理すべき実行プログラムの取得要求を前記情報処理装置に送信する第２の送信工程と、
前記情報処理装置より前記画像データを処理すべき実行プログラムを取得する取得工程と、
前記取得工程により取得される前記実行プログラムに基づいて前記処理工程による画像処理を制御する制御工程と、
を有することを特徴とする画像処理方法。
【請求項７】
所定の通信媒体を介して画像処理装置と通信可能な情報処理装置における情報処理方法であって、
前記画像処理装置から送信される圧縮画像データおよび前記画像処理装置で動作させるべき実行プログラムを取得するための格納先情報要求を受信する受信工程と、
前記受信工程により受信される前記圧縮画像データを解析して前記画像処理装置で動作させるべき実行プログラムの格納先情報を前記画像処理装置に通知する通知工程と、
前記画像処理装置から送信される格納先実行プログラム取得要求に基づき前記画像処理装置で動作可能な実行プログラム群を記憶する記憶手段に記憶されている実行プログラムを前記画像処理装置に送信する送信工程と、
を有することを特徴とする情報処理方法。
【請求項８】
所定の通信媒体を介して画像処理装置と通信可能な情報処理装置における画像処理方法であって、
前記画像処理装置で動作可能な実行プログラム群を記憶する記憶手段と、
前記画像処理装置から送信される判定結果情報および前記画像処理装置で動作させるべき実行プログラムを取得するための格納先情報要求を受信する受信工程と、
前記受信工程により受信される判定結果情報を解析して前記画像処理装置で動作させるべき実行プログラムの格納先情報を前記画像処理装置に通知する通知工程と、
前記画像処理装置から送信される格納先実行プログラム取得要求に基づき前記画像処理装置で動作可能な実行プログラム群を記憶する記憶手段に記憶されている実行プログラムを前記画像処理装置に送信する送信工程と、
を有することを特徴とする情報処理方法。
【請求項９】
前記格納先情報は、ＨＴＴＰプロトコルで用いられるＵＲＬの書式に従うことを特徴とする請求項７または８記載の情報処理装置。
【請求項１０】
前記記憶手段に記憶されている実行プログラム群は、前記通信媒体を介してホストコンピュータから最新の実行プログラム群を取得して更新することを特徴とする請求項７または８記載の情報処理装置。
【請求項１１】
前記実行プログラム群には、各実行プログラムに付属するパラメータファイルを含むことを特徴とする請求項１０記載の情報処理装置。
【請求項１２】
前記通知工程は、前記圧縮画像データの解析時に、前記画像処理装置で処理すべき画像情報がカラーなのかモノクロなのかの判定，前記画像情報中に多く含む色味の判定，前記画像情報が文字原稿／自然画原稿の判定，前記画像情報のＭＴＦ判定、前記画像情報の下地レベル判定，前記画像情報が印刷物なのか印画紙なのかの判定，前記画像情報の線数判定を行うことを特徴とする請求項７または８記載の情報処理方法。
【請求項１３】
入力画像データを処理するための情報要求をネットワークを介して出力する出力手段と、
前記出力に応じて、前記ネットワークに接続された情報処理装置から前記入力画像データを処理するための情報を有する情報端末を示す情報を受信する受信手段と、
前記受信手段により受信した前記情報端末を示す情報に従って、該情報端末から入力画像データを処理するための情報を受信し、該入力画像データに処理を行う処理手段と、
を有することを特徴とする画像処理装置。
【請求項１４】
前記情報は、インターネットアプリケーション言語により記述されていることを特徴とする請求項１３記載の画像処理装置。
【請求項１５】
前記情報は、プログラムと画像処理パラメータを含むことを特徴とする請求項１３記載の画像処理装置。
【請求項１６】
前記情報は、ＨＴＭＬ、ＸＭＬ、ＪＡＶＡのいずれかにより記述されていることを特徴とする請求項１３記載の画像処理装置。
【請求項１７】
前記出力手段は、前記入力画像データを圧縮して出力するもので、前記情報処理装置では前記入力画像データを識別して、前記情報端末を示す情報を検索することを特徴とする請求項１３記載の画像処理装置。
【請求項１８】
前記識別とは、カラー／モノクロ識別、文字／自然画の識別、肌色が多いかの識別、青色が多いかの識別のいずれかを含むことを特徴とする請求項１７記載の画像処理装置。
【請求項１９】
前記識別結果に従って、前記情報端末からカラー画像処理用のプログラムやモノクロ画像処理用のプログラムや肌色のカラーマッチングに重点をおいたパラメータや赤色のカラーマッチングに重点をおいたパラメータのいずれかを受信することを特徴とする請求項１８記載の画像処理装置。
【請求項２０】
前記入力画像データを処理するための情報を有する情報端末を示す情報とは、該情報端末のアドレスであることを特徴とする請求項１３記載の画像処理装置。
【請求項２１】
前記入力画像データは、暗号化して出力することを特徴とする請求項１７記載の画像処理装置。
【請求項２２】
入力画像データを処理するための情報要求をネットワークを介して出力する出力工程と、
前記出力に応じて、前記ネットワークに接続された情報処理装置から前記入力画像データを処理するための情報を有する情報端末を示す情報を受信する受信工程と、
受信した前記情報端末を示す情報に従って、該情報端末から入力画像データを処理するための情報を受信し、該入力画像データに処理を行う処理工程と、
を有することを特徴とする画像処理方法。
【請求項２３】
入力画像データを処理するための情報要求をネットワークを介して出力するためのコードと、前記出力に応じて、前記ネットワークに接続された情報処理装置から前記入力画像データを処理するための情報を有する情報端末を示す情報を受信するコードと、前記受信した前記情報端末を示す情報に従って、該情報端末から入力画像データを処理するための情報を受信し、該入力画像データに処理を行うためのコードと、を格納したことを特徴とするコンピュータが読み取り可能な記憶媒体。
【手続補正２】
【補正対象書類名】明細書
【補正対象項目名】００１５
【補正方法】変更
【補正の内容】
【００１５】
本発明に係る第３の発明は、所定の通信媒体（例えば図２に示すＬＡＮ２００）を介して画像処理装置（例えば図３に示すマルチファンクション装置４００に相当）と通信可能な情報処理装置（例えば図３に示すファイルサーバ５００あるいは検索サーバ６００に相当）であって、前記画像処理装置で動作可能な実行プログラム群を記憶する記憶手段と、前記画像処理装置から送信される圧縮画像データおよび前記画像処理装置で動作させるべき実行プログラムを取得するための格納先情報要求を受信する受信手段（例えば図３に示すマルチファンクション装置４００に相当）と、前記受信手段により受信される前記圧縮画像データを解析して前記画像処理装置で動作させるべき実行プログラムの格納先情報を前記画像処理装置に通知する通知手段と、前記画像処理装置から送信される格納先実行プログラム取得要求に基づき前記記憶手段に記憶されている実行プログラムを前記画像処理装置に送信する送信手段とを有するものである。
【手続補正３】
【補正対象書類名】明細書
【補正対象項目名】００１６
【補正方法】変更
【補正の内容】
【００１６】
本発明に係る第４の発明は、所定の通信媒体（例えば図２に示すＬＡＮ２００）を介して画像処理装置（例えば図３に示すマルチファンクション装置４００に相当）と通信可能な情報処理装置（例えば図３に示すファイルサーバ５００あるいは検索サーバ６００に相当）であって、前記画像処理装置で動作可能な実行プログラム群を記憶する記憶手段と、前記画像処理装置から送信される判定結果情報および前記画像処理装置で動作させるべき実行プログラムを取得するための格納先情報要求を受信する受信手段（例えば図３に示す検索サーバ６００のＣＰＵによる）と、前記受信手段により受信される判定結果情報を解析して前記画像処理装置で動作させるべき実行プログラムの格納先情報を前記画像処理装置に通知する通知手段（例えば図７に示す検索サーバ６００のカラー判定部７０２による）と、前記画像処理装置から送信される格納先実行プログラム取得要求に基づき前記記憶手段に記憶されている実行プログラムを前記画像処理装置に送信する送信手段（例えば図３に示す検索サーバ６００のＣＰＵによる）とを有するものである。
【手続補正４】
【補正対象書類名】明細書
【補正対象項目名】００１７
【補正方法】変更
【補正の内容】
【００１７】
本発明に係る第５の発明は、原稿画像を読み取る画像入力部（例えば図１に示すイメージリーダ部１０１に相当）と、該画像入力部から入力された画像データに基づき画像出力を行う画像出力部（例えば図１に示すプリンタ部１０２に相当）とを有し、所定の通信媒体（例えば図２に示すＬＡＮ２００に相当）を介して情報処理装置（例えば図３に示すファイルサーバ５００あるいは検索サーバ６００に相当）と通信可能な画像処理装置における画像処理方法であって、入力した画像データを記憶する第１の記憶手段に記憶された画像データを第２の記憶手段に記憶される実行プログラムを実行して所定の画像処理を施す処理工程（図１１に示すステップ（８１０））と、入力された画像データを所定の圧縮方法により画像圧縮する圧縮工程（図１１に示すステップ（８０２））と、前記圧縮工程により圧縮された圧縮画像データと前記画像データを処理すべき実行プログラムを取得するための格納先情報要求を前記情報処理装置に送信する第１の送信工程（図１１に示すステップ（８０３））と、前記情報処理装置より返信される格納先情報に基づき前記画像データを処理すべき実行プログラムの取得要求を前記情報処理装置に送信する第２の送信工程（図１１に示すステップ（８０８））と、前記情報処理装置より前記画像データを処理すべき実行プログラムを取得する取得工程と、前記取得工程により取得される前記実行プログラムに基づいて前記処理工程による画像処理を制御する制御工程（図１１に示すステップ（８１０））とを有するものである。
【手続補正５】
【補正対象書類名】明細書
【補正対象項目名】００１８
【補正方法】変更
【補正の内容】
【００１８】
本発明に係る第６の発明は、原稿画像を読み取る画像入力部（例えば図１に示すイメージリーダ部１０１に相当）と、該画像入力部から入力された画像データに基づき画像出力を行う画像出力部（例えば図１に示すプリンタ部１０２に相当）とを有し、所定の通信媒体（例えば図２に示すＬＡＮ２００に相当）を介して情報処理装置（例えば図３に示すファイルサーバ５００あるいは検索サーバ６００に相当）と通信可能な画像処理装置における画像処理方法であって、入力した画像データを記憶する第１の記憶手段に記憶された画像データを第２の記憶手段に記憶される実行プログラムを実行して所定の画像処理を施す処理工程（図１１に示すステップ（８１０））と、入力された画像データを所定の圧縮方法により画像圧縮する圧縮工程（図１１に示すステップ（８０２））と、前記圧縮工程により圧縮された圧縮画像データを解析して得られる判定結果情報と前記画像データを処理すべき実行プログラムを取得するための格納先情報要求を前記情報処理装置に送信する第１の送信工程（図１１に示すステップ（８０３））と、前記情報処理装置より返信される格納先情報に基づき前記画像データを処理すべき実行プログラムの取得要求を前記情報処理装置に送信する第２の送信工程（図１１に示すステップ（８０８））と、前記情報処理装置より前記画像データを処理すべき実行プログラムを取得する取得工程と、前記取得工程により取得される前記実行プログラムに基づいて前記処理工程による画像処理を制御する制御工程（図１１に示すステップ（８１０））とを有するものである。
【手続補正６】
【補正対象書類名】明細書
【補正対象項目名】００１９
【補正方法】変更
【補正の内容】
【００１９】
本発明に係る第７の発明は、所定の通信媒体（例えば図２に示すＬＡＮ２００に相当）を介して画像処理装置と通信可能な情報処理装置（例えば図３に示すファイルサーバ５００あるいは検索サーバ６００に相当）における情報処理方法であって、前記画像処理装置から送信される圧縮画像データおよび前記画像処理装置で動作させるべき実行プログラムを取得するための格納先情報要求を受信する受信工程（図１１には図示しない）と、前記受信工程により受信される前記圧縮画像データを解析して前記画像処理装置で動作させるべき実行プログラムの格納先情報を前記画像処理装置に通知する通知工程（図１１に示すステップ（８０４）〜（８０６））と、前記画像処理装置から送信される格納先実行プログラム取得要求に基づき前記画像処理装置で動作可能な実行プログラム群を記憶する記憶手段に記憶されている実行プログラムを前記画像処理装置に送信する送信工程（図１１に示すステップ（８０９））とを有するものである。
【手続補正７】
【補正対象書類名】明細書
【補正対象項目名】００２０
【補正方法】変更
【補正の内容】
【００２０】
本発明に係る第８の発明は、所定の通信媒体（例えば図２に示すＬＡＮ２００に相当）を介して画像処理装置と通信可能な情報処理装置（例えば図３に示すファイルサーバ５００あるいは検索サーバ６００に相当）における画像処理方法であって、前記画像処理装置で動作可能な実行プログラム群を記憶する記憶手段と、前記画像処理装置から送信される判定結果情報および前記画像処理装置で動作させるべき実行プログラムを取得するための格納先情報要求を受信する受信工程（図１１には図示しない）と、前記受信工程により受信される判定結果情報を解析して前記画像処理装置で動作させるべき実行プログラムの格納先情報を前記画像処理装置に通知する通知工程（図１１に示すステップ（８０４）〜（８０６））と、前記画像処理装置から送信される格納先実行プログラム取得要求に基づき前記画像処理装置で動作可能な実行プログラム群を記憶する記憶手段に記憶されている実行プログラムを前記画像処理装置に送信する送信工程（図１１に示すステップ（８０９））とを有するものである。
【手続補正８】
【補正対象書類名】明細書
【補正対象項目名】００２１
【補正方法】変更
【補正の内容】
【００２１】
本発明に係る第９の発明は、前記格納先情報は、ＨＴＴＰプロトコルで用いられるＵＲＬの書式に従うものである。
【手続補正９】
【補正対象書類名】明細書
【補正対象項目名】００２２
【補正方法】変更
【補正の内容】
【００２２】
本発明に係る第１０の発明は、前記記憶手段に記憶されている実行プログラム群は、前記通信媒体を介してホストコンピュータから最新の実行プログラム群を取得して更新するものである。
【手続補正１０】
【補正対象書類名】明細書
【補正対象項目名】００２３
【補正方法】変更
【補正の内容】
【００２３】
本発明に係る第１１の発明は、前記実行プログラム群には、各実行プログラムに付属するパラメータファイルを含むものである。
【手続補正１１】
【補正対象書類名】明細書
【補正対象項目名】００２４
【補正方法】変更
【補正の内容】
【００２４】
本発明に係る第１２の発明は、前記通知工程は、前記圧縮画像データの解析時に、前記画像処理装置で処理すべき画像情報がカラーなのかモノクロなのかの判定，前記画像情報中に多く含む色味の判定，前記画像情報が文字原稿／自然画原稿の判定，前記画像情報のＭＴＦ判定、前記画像情報の下地レベル判定，前記画像情報が印刷物なのか印画紙なのかの判定，前記画像情報の線数判定を行うものである。
【手続補正１２】
【補正対象書類名】明細書
【補正対象項目名】００２５
【補正方法】変更
【補正の内容】
【００２５】
本発明に係る第１３の発明は、入力画像データを処理するための情報要求をネットワークを介して出力する出力手段（例えば図２に示すＣＰＵ２１１の処理による）と、前記出力に応じて、前記ネットワークに接続された情報処理装置から前記入力画像データを処理するための情報を有する情報端末を示す情報を受信する受信手段（例えば図２に示すＣＰＵ２１１の処理による）と、前記受信手段により受信した前記情報端末を示す情報に従って、該情報端末から入力画像データを処理するための情報を受信し、該入力画像データに処理を行う処理手段（例えば図２に示すＣＰＵ２１１の処理による）とを有するものである。
【手続補正１３】
【補正対象書類名】明細書
【補正対象項目名】００２６
【補正方法】変更
【補正の内容】
【００２６】
本発明に係る第１４の発明は、前記情報は、インターネットアプリケーション言語により記述されているものである。
【手続補正１４】
【補正対象書類名】明細書
【補正対象項目名】００２７
【補正方法】変更
【補正の内容】
【００２７】
本発明に係る第１５の発明は、前記情報は、プログラムと画像処理パラメータを含むものである。
【手続補正１５】
【補正対象書類名】明細書
【補正対象項目名】００２８
【補正方法】変更
【補正の内容】
【００２８】
本発明に係る第１６の発明は、前記情報は、ＨＴＭＬ、ＸＭＬ、ＪＡＶＡのいずれかにより記述されているものである。
【手続補正１６】
【補正対象書類名】明細書
【補正対象項目名】００２９
【補正方法】変更
【補正の内容】
【００２９】
本発明に係る第１７の発明は、前記出力手段は、前記入力画像データを圧縮して出力するもので、前記情報処理装置では前記入力画像データを識別して、前記情報端末を示す情報を検索するものである。
【手続補正１７】
【補正対象書類名】明細書
【補正対象項目名】００３０
【補正方法】変更
【補正の内容】
【００３０】
本発明に係る第１８の発明は、前記識別とは、カラー／モノクロ識別、文字／自然画の識別、肌色が多いかの識別、青色が多いかの識別のいずれかを含むものである。
【手続補正１８】
【補正対象書類名】明細書
【補正対象項目名】００３１
【補正方法】変更
【補正の内容】
【００３１】
本発明に係る第１９の発明は、前記識別結果に従って、前記情報端末からカラー画像処理用のプログラムやモノクロ画像処理用のプログラムや肌色のカラーマッチングに重点をおいたパラメータや赤色のカラーマッチングに重点をおいたパラメータのいずれかを受信するものである。
【手続補正１９】
【補正対象書類名】明細書
【補正対象項目名】００３２
【補正方法】変更
【補正の内容】
【００３２】
本発明に係る第２０の発明は、前記入力画像データを処理するための情報を有する情報端末を示す情報とは、該情報端末のアドレスとするものである。
【手続補正２０】
【補正対象書類名】明細書
【補正対象項目名】００３３
【補正方法】変更
【補正の内容】
【００３３】
本発明に係る第２１の発明は、前記入力画像データは、暗号化して出力するものである。
【手続補正２１】
【補正対象書類名】明細書
【補正対象項目名】００３４
【補正方法】変更
【補正の内容】
【００３４】
本発明に係る第２２の発明は、入力画像データを処理するための情報要求をネットワークを介して出力する出力工程（例えば図１１に示すステップ（８０３））と、前記出力に応じて、前記ネットワークに接続された情報処理装置から前記入力画像データを処理するための情報を有する情報端末を示す情報を受信する受信工程（例えば図１１に示すステップ（８０７））と、受信した前記情報端末を示す情報に従って、該情報端末から入力画像データを処理するための情報を受信し、該入力画像データに処理を行う処理工程（例えば図１１に示すステップ（８０９），（８１０））とを有するものである。
【手続補正２２】
【補正対象書類名】明細書
【補正対象項目名】００３５
【補正方法】変更
【補正の内容】
【００３５】
本発明に係る第２３の発明は、入力画像データを処理するための情報要求をネットワークを介して出力するためのコードと、前記出力に応じて、前記ネットワークに接続された情報処理装置から前記入力画像データを処理するための情報を有する情報端末を示す情報を受信するコードと、前記受信した前記情報端末を示す情報に従って、該情報端末から入力画像データを処理するための情報を受信し、該入力画像データに処理を行うためのコードとをコンピュータが読み取り可能に記憶媒体に記録させたものである。
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】０１２８
【補正方法】変更
【補正の内容】
【０１２８】
【発明の効果】
以上説明したように、本発明によれば、処理すべき画像データを情報処理装置に転送し、該情報処理装置で解析された結果必要な実行プログラムを取得すべき格納先情報を取得し、該取得した格納先情報に基づいて当該画像データを処理するための実行プログラムを情報処理装置から取得して特定の画像処理を実行するように制御するので、必要な機能だけ、必要最小限の記憶装置容量を備えるだけで、意図する画像処理を確実に動作させることができる安価なマルチファンクションデジタル複写システムを構築することができるという効果を奏する。